(57)【要約】【課題】入出場条件に応じた付加価値を提供することにより混雑緩和に貢献可能な入出場管理システムを提供すること。【解決手段】この発明の入出場管理システムは、情報記憶媒体（４０）から情報を読み取る読取手段（２０）と、前記読取手段により読み取られた情報に含まれる有効乗車区間情報に基づき入出場可否を判定する入出場判定手段（１０、２０）と、前記判定手段による入出場許可判定に伴い現在時刻情報に基づき割引適用の必要性を判定する割引判定手段（１０、２０）と、前記割引判定手段による割引適用判定に伴い前記情報記憶媒体に対して割引情報を記録する記録手段（２０）とを備えている。【選択図】      図１
2005228071.tif 000002
【特許請求の範囲】
【請求項１】
情報記憶媒体から情報を読み取る読取手段と、
前記読取手段により読み取られた情報に含まれる入出場可否情報に基づき入出場可否を判定する入出場判定手段と、
前記判定手段による入出場許可判定に伴い現在時刻情報に基づき割引適用の必要性を判定する割引判定手段と、
前記割引判定手段による割引適用判定に伴い前記情報記憶媒体に対して割引情報を記録する記録手段と、
を備えたことを特徴とする入出場管理システム。
【請求項２】
入場時に情報記憶媒体から情報を読み取る入場時読取手段と、
前記入場時読取手段により読み取られた情報に含まれる有効乗車区間情報に基づき入場改札可否を判定する入場改札判定手段と、
前記入場改札判定手段による入場改札許可判定に伴い前記情報記憶媒体に対して入場改札時刻を含む入場改札情報を記録する入場時記録手段と、
出場時に前記情報記憶媒体から情報を読み取る出場時読取手段と、
前記出場時読取手段により読み取られた情報に含まれる有効乗車区間情報に基づき出場改札可否を判定する出場改札判定手段と、
前記出場改札判定手段による出場改札許可判定に伴い現在時刻情報及び前記入場改札情報に含まれる前記入場改札時刻に基づき割引適用の必要性を判定する割引判定手段と、
前記出場改札判定手段による出場許可判定に伴い前記情報記憶媒体に対して出場改札情報を記録するとともに、前記割引判定手段による割引適用判定に伴い割引情報を記録する出場時記録手段と、
を備えたことを特徴とする改札処理システム。
【請求項３】
入場時に情報記憶媒体から情報を読み取る入場時読取手段と、
前記入場時読取手段により読み取られた情報に含まれる識別情報に対応して管理されている有効乗車区間情報及び有効乗車期限情報に基づき入場改札可否を判定する入場改札判定手段と、
前記入場改札判定手段による入場改札許可判定に伴い前記情報記憶媒体に対して入場改札時刻及び入場駅を含む入場改札情報を記録する入場時記録手段と、
出場時に前記情報記憶媒体から情報を読み取る出場時読取手段と、
前記出場時読取手段により読み取られた情報に含まれる識別情報に対応して管理されている有効乗車区間情報及び有効乗車期限情報、さらには前記出場時読取手段により読み取られた情報に含まれる入場改札情報に基づき出場改札可否を判定する出場改札判定手段と、
前記出場改札判定手段による出場改札許可判定に伴い現在時刻情報及び前記入場改札情報に含まれる前記入場改札時刻に基づき割引適用の必要性を判定する割引判定手段と、
前記出場改札判定手段による出場改札許可判定に伴い前記情報記憶媒体に対して出場改札時刻及び出場駅を含む出場改札情報を記録するとともに、前記割引判定手段による割引適用判定に伴い割引額情報を記録する出場時記録手段と、
を備えたことを特徴とする改札処理システム。
【請求項４】
情報記録媒体に記録された割引額情報に対応する割引金額を払い戻す払戻手段を備えたことを特徴とする請求項３に記載の改札処理システム。
【請求項５】
情報記憶媒体に記録された識別情報に対応して管理されている有効乗車期限情報の更新に伴い必要な更新費用の少なくとも一部を、情報記録媒体に記録された割引額情報が示す金額で精算する更新処理手段を備えたことを特徴とする請求項３に記載の改札処理システム。
【請求項６】
情報記憶媒体に記録された情報に基づく改札処理において生じた不足運賃を、情報記録媒体に記録された割引額情報が示す金額で精算する精算手段を備えたことを特徴とする請求項３に記載の改札処理システム。
【請求項７】
入出場可否判定に必要な情報を記憶する第１の記憶領域と、
前記第１の記憶領域に記憶された情報に基づく入出場可否判定、及び入出場可否判定時刻に基づく割引適用の必要性判定の結果、割引適用に伴い記録される割引情報を記憶する第２の記憶領域と、
を備えたことを特徴とする情報記憶媒体。
【請求項８】
入出場可否判定に必要な情報を記憶する第１の記憶領域と、
前記第１の記憶領域に記憶された情報に基づく入場改札処理に伴い記録される入場改札時刻を含む入場改札情報を記憶する第２の記憶領域と、
前記第１の記憶領域に記憶された情報に基づく出場改札処理に伴い記録される出場改札時刻を含む出場改札情報を記憶する第３の記憶領域と、
前記第２の記憶領域に記憶された入場改札情報に含まれる入場改札時刻、及び前記第３の記憶領域に記憶される出場改札情報に含まれる出場改札時刻に基づく割引適用の必要性判定の結果、割引適用に伴い記録される割引情報を記憶する第４の記憶領域と、
を備えたことを特徴とする情報記憶媒体。
【請求項９】
識別情報を記憶する第１の記憶領域と、
前記第１の記憶領域に記憶された識別情報に対応して管理されている有効乗車区間情報及び有効乗車期限情報に基づく入場改札処理に伴い記録される入場改札時刻を含む入場改札情報を記憶する第２の記憶領域と、
前記第１の記憶領域に記憶された識別情報に対応して管理されている有効乗車区間情報及び有効乗車期限情報、並びに前記第２の記憶領域に記憶されている入場改札情報に基づく出場改札処理に伴い記録される出場改札時刻を含む出場改札情報を記憶する第３の記憶領域と、
前記第２の記憶領域に記憶された入場改札情報に含まれる入場改札時刻、及び前記第３の記憶領域に記憶される出場改札情報に含まれる出場改札時刻に基づく割引適用の必要性判定の結果、割引適用に伴い記録される割引額情報を記憶する第４の記憶領域と、
を備えたことを特徴とする情報記憶媒体。
【請求項１０】
情報記憶媒体から情報を読み取り、
読み取られた情報に含まれる有効乗車区間情報に基づき入出場可否を判定し、
入出場許可判定に伴い現在時刻情報に基づき割引適用の必要性を判定し、
割引適用判定に伴い前記情報記憶媒体に対して割引情報を記録する、
ことを特徴とする情報記憶媒体処理方法。
【請求項１１】
入場時に情報記憶媒体から情報を読み取り、
読み取られた情報に含まれる有効乗車区間情報に基づき入場改札可否を判定し、
入場改札許可判定に伴い前記情報記憶媒体に対して入場改札時刻を含む入場改札情報を記録し、
出場時に前記情報記憶媒体から情報を読み取り、
読み取られた情報に含まれる有効乗車区間情報に基づき出場改札可否を判定し、
出場改札許可判定に伴い現在時刻情報及び前記入場改札情報に含まれる前記入場改札時刻に基づき割引適用の必要性を判定し、
出場許可判定に伴い前記情報記憶媒体に対して出場改札情報を記録するとともに、割引適用判定に伴い割引情報を記録する、
ことを特徴とする情報記憶媒体処理方法。
【請求項１２】
入場時に情報記憶媒体から情報を読み取り、
読み取られた情報に含まれる識別情報に対応して管理されている有効乗車区間情報及び有効乗車期限情報に基づき入場改札可否を判定し、
入場改札許可判定に伴い前記情報記憶媒体に対して入場改札時刻及び入場駅を含む入場改札情報を記録し、
出場時に前記情報記憶媒体から情報を読み取り、
読み取られた情報に含まれる識別情報に対応して管理されている有効乗車区間情報及び有効乗車期限情報、さらには読み取られた情報に含まれる入場改札情報に基づき出場改札可否を判定し、
出場改札許可判定に伴い現在時刻情報及び前記入場改札情報に含まれる前記入場改札時刻に基づき割引適用の必要性を判定し、
出場許可判定に伴い前記情報記憶媒体に対して出場改札時刻及び出場駅を含む出場改札情報を記録するとともに、割引適用判定に伴い割引額情報を記録する、
ことを特徴とする情報記憶媒体処理方法。
【発明の詳細な説明】
【技術分野】
【０００１】
本発明は、無線通信により無線ＩＣカード等の情報記憶媒体と交信し、この情報記憶媒体に記録された情報を読み取り、情報記憶媒体から読み取られた情報に基づき入出場を制御する入出場管理システムに関する。特に、鉄道などの交通機関の駅構内への入場及び駅構内からの出場を制御する改札処理システムに関する。さらに、これらシステムで適用可能な情報記憶媒体に関する。またさらに、これらシステムにおける情報記憶媒体処理方法に関する。
【背景技術】
【０００２】
近年、改札処理の省力化を目的として、自動改札装置が導入されている。自動改札装置は、入場券、プリペイドカード、定期券、普通乗車券などの磁気券を受け取り、磁気券に記録された乗車情報を読み取り、入場又は出場の改札可否を判定し、磁気券を返却又は回収する。自動改札装置が、乗車情報の読み取り結果に基づき、運賃不足、期限切れ、区間外乗車などの理由から改札否と判定すると、ドアの開閉を制御して乗客を駅構内に入場させない、駅構内から出場させない、又は乗り換えを許可しないようにする。
【０００３】
さらに近年は、上記説明した磁気券を扱う磁気券対応の自動改札装置の他に、磁気券及び無線ＩＣカードを扱う無線ＩＣカード対応の自動改札装置の導入も進められている。無線ＩＣカード対応の自動改札装置は、上記したような磁気券対応の自動改札装置の機能に加えて、無線ＩＣカードに基づく改札処理を行なうことができる。無線ＩＣカードは、例えば有効乗車区間情報及び有効乗車期限情報を含む定期乗車情報を記憶しており、無線ＩＣカード対応の自動改札装置は、無線ＩＣカードと交信し、無線ＩＣカードからこの定期乗車情報を読み取り、入場又は出場の改札可否を判定する。
【０００４】
また、上記した鉄道などの交通機関の駅に設置される自動改札装置に限らず、イベント会場等の特定区域への入場をＩＣカードにより管理する技術も開示されている（特許文献１参照）。
【特許文献１】特開２００２−２４８８６
【発明の開示】
【発明が解決しようとする課題】
【０００５】
しかしながら、上記した無線ＩＣカードによる改札処理では、常に同じ条件（同一料金）での入出場が管理されているに過ぎず、サービス不足が指摘されている。常に同じ条件であるため、無線ＩＣカードによる入出場改札処理が朝夕の時間帯に集中してまい、結果的に混雑を招いている。
【０００６】
本発明の目的は、上記課題を解決するためになされたものであり、入出場条件に応じた付加価値を提供することにより混雑緩和に貢献可能な入出場管理システム及び改札処理システムを提供することにある。また、本発明の目的は、これらシステムに適用可能な情報記憶媒体を提供することにある。さらに、本発明の目的は、これらシステムに適用可能な情報記憶媒体処理方法を提供することにある。
【課題を解決するための手段】
【０００７】
この発明の入出場管理システム、改札処理システム、情報記憶媒体、及び情報記憶媒体処理方法は、以下のように構成されている。
【０００８】
（１）この発明の入出場管理システムは、情報記憶媒体から情報を読み取る読取手段と、前記読取手段により読み取られた情報に含まれる有効乗車区間情報に基づき入出場可否を判定する入出場判定手段と、前記判定手段による入出場許可判定に伴い現在時刻情報に基づき割引適用の必要性を判定する割引判定手段と、前記割引判定手段による割引適用判定に伴い前記情報記憶媒体に対して割引情報を記録する記録手段とを備えている。
【０００９】
（２）この発明の改札処理システムは、入場時に情報記憶媒体から情報を読み取る入場時読取手段と、前記入場時読取手段により読み取られた情報に含まれる有効乗車区間情報に基づき入場改札可否を判定する入場改札判定手段と、前記入場改札判定手段による入場改札許可判定に伴い前記情報記憶媒体に対して入場改札時刻を含む入場改札情報を記録する入場時記録手段と、出場時に前記情報記憶媒体から情報を読み取る出場時読取手段と、前記出場時読取手段により読み取られた情報に含まれる有効乗車区間情報に基づき出場改札可否を判定する出場改札判定手段と、前記出場改札判定手段による出場改札許可判定に伴い現在時刻情報及び前記入場改札情報に含まれる前記入場改札時刻に基づき割引適用の必要性を判定する割引判定手段と、前記出場改札判定手段による出場許可判定に伴い前記情報記憶媒体に対して出場改札情報を記録するとともに、前記割引判定手段による割引適用判定に伴い割引情報を記録する出場時記録手段とを備えている。
【００１０】
（３）この発明の情報記憶媒体は、入出場可否判定に必要な情報を記憶する第１の記憶領域と、前記第１の記憶領域に記憶された情報に基づく入出場可否判定、及び入出場可否判定時刻に基づく割引適用の必要性判定の結果、割引適用に伴い記録される割引情報を記憶する第２の記憶領域とを備えている。
【００１１】
（４）この発明の情報記憶媒体処理方法は、情報記憶媒体から情報を読み取り、読み取られた情報に含まれる有効乗車区間情報に基づき入出場可否を判定し、入出場許可判定に伴い現在時刻情報に基づき割引適用の必要性を判定し、割引適用判定に伴い前記情報記憶媒体に対して割引情報を記録する。
【発明の効果】
【００１２】
本発明によれば、入出場条件に応じた付加価値を提供することにより混雑緩和に貢献可能な入出場管理システム及び改札処理システムを提供できる。また、本発明によれば、これらシステムに適用可能な情報記憶媒体を提供できる。さらに、本発明によれば、これらシステムに適用可能な情報記憶媒体処理方法を提供できる。
【発明を実施するための最良の形態】
【００１３】
以下、図面を参照し、本発明の実施形態について説明する。
【００１４】
図１は、この発明の一例に係る改札処理システム（入出場管理システム）の概略構成を示す図である。
【００１５】
図１に示すように、改札処理システムは、サーバー１０、各駅に設置される複数の改札処理端末（自動改札装置）２０、各駅に設置される複数の精算処理端末（自動精算機）３０を備えている。サーバー１０と各改札処理端末２０及び各精算処理端末３０とは、ネットワーク接続されており、互いに情報交換可能な構成となっている。改札処理端末２０及び精算処理端末３０は、共にＩＣカード４０と無線通信可能な構成になっており、ＩＣカード４０に記憶された情報を読み取ったり、ＩＣカード４０に対して情報を書き込んだりすることができる。
【００１６】
図２に示すように、サーバー１０は、演算部１１、時計１２、データベース１３、記憶部１４、及び通信制御部１５などを備えている。
【００１７】
図３に示すように、改札処理端末２０は、演算部２１、通信制御部２２、無線通信制御部２３、及び時計２４などを備えている。
【００１８】
図４に示すように、精算処理端末３０は、演算部３１、通信制御部３２、無線通信制御部３３、及び精算処理部３４などを備えている。
【００１９】
図５に示すように、ＩＣカード４０は、演算部４１、記憶部４２、及び通信制御部４３などを備えている。
【００２０】
次に、図６〜図７に示す改札処理フローを参照して、本改札処理システムによる改札処理（情報記憶媒体処理方法）について説明する。図６は、入場改札処理の流れを説明するための図である。図７は、出場改札処理の流れを説明するための図である。
【００２１】
本実施形態では、ＩＣカード４０を定期券として利用し、所定の入出場条件を満たせば割引が適用されるというものである。例えば、所定の時間帯に入場改札及び出場改札を受けると、定期区間内の乗車分に対して割引（キャッシュバック）が適用される。ＩＣカード４０を定期券として利用する第１の手法として、ＩＣカード４０の記憶部４２の第１の記憶領域には予めカードＩＤ（識別情報）が記憶され、サーバー１０のデータベース１３にはカードＩＤに対応して定期乗車券情報が記憶される。或いは、第２の手法として、ＩＣカード４０の記憶部４２の第１の記憶領域には予めカードＩＤ（識別情報）及び定期乗車券情報の両方が記憶される。定期乗車券情報には、例えば有効乗車区間情報及び有効乗車期限情報が含まれる。以下、上記した第１の手法を中心に説明するが、上記した第２の手法を用いても本発明の改札処理は適用可能である。また、このＩＣカード４０の記憶部４２の所定の記憶領域に運賃として利用可能な金額情報を記憶することもできる。
【００２２】
まず、図６を参照して、入場改札処理について説明する。
【００２３】
ＩＣカード４０を所持した利用者は、改札処理端末２０に沿って設けられた改札通路を通過する際に（駅構内へ入場する際に）、ＩＣカード４０を改札処理端末２０に設けられた所定の通信エリアにかざす。これにより、ＩＣカード４０と改札処理端末２０との間で無線通信が開始され、さらに改札処理端末２０を介してＩＣカード４０とサーバー１０との間の通信も開始される。実際には、ＩＣカード４０の通信制御部４３と改札処理端末２０の通信制御部２３との間で無線通信が行なわれ、改札処理端末２０の通信制御部２２とサーバー１０の通信制御部１５との間で通信が行なわれる。
【００２４】
これら通信の開始に伴い、改札処理端末２０を介してサーバー１０からＩＣカード４０に対して、カード認証要求が送信される（ＳＴ１０１）。カード認証要求を受けたＩＣカード４０は、例えば記憶部４２に記憶されたカードＩＤを用いて演算部４１によりカード署名を生成し（ＳＴ１０２）、改札処理端末２０を介してサーバー１０に対して、カード署名及びカードＩＤを応答する（ＳＴ１０３）。第２の手法が採用されている場合には、さらにＩＣカード４０は、改札処理端末２０に対して記憶部４２に記憶された定期乗車券情報も送信する。
【００２５】
サーバー１０の演算部１１は、受け取ったカードＩＤからカード署名を生成し、生成したカード署名と受け取ったカード署名とを比較して、カード署名の正当性を確認する（ＳＴ１０４）。カード署名の正当性が確認されると（カードの正当性が確認されると）、このＩＣカード４０に基づく入場改札可否判定が実行される。つまり、サーバー１０（演算部１１）は、データベース１３の中から、受け取ったカードＩＤに対応する定期乗車券情報を検索し、該当する定期券乗車情報に含まれる有効乗車区間情報及び有効乗車期限情報に基づき入場改札可否を判定する。或いは、改札処理端末２０（演算部２１）は、ＩＣカード４０から送信される定期乗車券情報に含まれる有効乗車区間情報及び有効乗車期限情報に基づき入場改札可否を判定する。
【００２６】
サーバー１０の演算部１１による入場改札許可判定に伴い、入場改札情報が準備され（ＳＴ１０５）、改札処理端末２０を介してサーバー１０からＩＣカード４０に対して入場改札情報が送信される（ＳＴ１０６）。或いは、改札処理端末２０の演算部２１による入場改札許可判定に伴い、入場改札情報が準備され、改札処理端末２０からＩＣカード４０に対して入場改札情報が送信される。入場改札情報には、入場駅（ＩＣカードが認証された駅）、入場月日、入場時刻等の情報が含まれる。この入場月日、入場時刻等の情報は、サーバー１０の時計１２により生成される。或いは改札処理端末２０の時計２４により生成される。また、有効乗車区間情報が示す定期区間外での入場であっても、出場改札時に区間外利用額を精算するものとして、入場改札情報を記録して改札を許可するようにしてもよい。
【００２７】
入場改札情報の送信を受けたＩＣカード４０は、記憶部４２の第２の記憶領域に入場改札情報を記憶し（ＳＴ１０７）、改札処理端末２０を介してサーバー１０に対して、処理が全て終了したことを示す全処理終了情報を返信する（ＳＴ１０８）。
【００２８】
続いて、図７を参照して、出場改札処理について説明する。
【００２９】
図６で説明した入場改札処理を経たＩＣカード４０を所持した利用者は、改札処理端末２０に沿って設けられた改札通路を通過する際に（駅構内から出場する際に）、ＩＣカード４０を改札処理端末２０に設けられた所定の通信エリアにかざす。これにより、ＩＣカード４０と改札処理端末２０との間で無線通信が開始され、さらに改札処理端末２０を介してＩＣカード４０とサーバー１０との間の通信も開始される。実際には、ＩＣカード４０の通信制御部４３と改札処理端末２０の通信制御部２３との間で無線通信が行なわれ、改札処理端末２０の通信制御部２２とサーバー１０の通信制御部１５との間で通信が行なわれる。
【００３０】
これら通信の開始に伴い、改札処理端末２０を介してサーバー１０からＩＣカード４０に対して、カード認証要求が送信される（ＳＴ２０１）。カード認証要求を受けたＩＣカード４０は、例えば記憶部４２に記憶されたカードＩＤを用いて演算部４１によりカード署名を生成し（ＳＴ２０２）、改札処理端末２０を介してサーバー１０に対して、カード署名及びカードＩＤを応答し（ＳＴ２０３）、さらに入場改札処理で記憶部４２に記憶された入場改札情報も送信する（入場改札情報も利用して出場改札可否判定を行なうことができる）。第２の手法が採用されている場合には、さらにＩＣカード４０は、改札処理端末２０に対して記憶部４２に記憶された定期乗車券情報も送信し、さらに入場改札処理で記憶部４２に記憶された入場改札情報も送信する（上記と同様に入場改札情報も利用して出場改札可否判定を行なうことができる）。
【００３１】
サーバー１０の演算部１１は、受け取ったカードＩＤからカード署名を生成し、生成したカード署名と受け取ったカード署名とを比較して、カード署名の正当性を確認する（ＳＴ２０４）。カード署名の正当性が確認されると（カードの正当性が確認されると）、このＩＣカード４０に基づく出場改札可否判定が実行される。つまり、サーバー１０（演算部１１）は、データベース１３の中から、受け取ったカードＩＤに対応する定期乗車券情報を検索し、該当する定期券乗車情報に含まれる有効乗車区間情報及び有効乗車期限情報、さらには入場改札情報に基づき出場改札可否を判定する。或いは、改札処理端末２０（演算部２１）は、ＩＣカード４０から送信される定期乗車券情報に含まれる有効乗車区間情報及び有効乗車期限情報、さらには入場改札情報に基づき出場改札可否を判定する。
【００３２】
サーバー１０の演算部１１による出場改札許可判定に伴い、出場改札情報が準備され（ＳＴ２０５）、改札処理端末２０を介してサーバー１０からＩＣカード４０に対して出場改札情報が送信される（ＳＴ２０６）。或いは、改札処理端末２０の演算部２１による出場改札許可判定に伴い、出場改札情報が準備され、改札処理端末２０からＩＣカード４０に対して出場改札情報が送信される。出場改札情報には、出場駅（ＩＣカードが認証された駅）、出場月日、出場時刻等の情報が含まれる。この出場月日、出場時刻等の情報は、サーバー１０の時計１２により生成される。或いは改札処理端末２０の時計２４により生成される。また、有効乗車区間情報が示す定期区間外での出場であっても、区間外利用額を精算するものとして、出場改札情報を記録して改札を許可するようにしてもよい。
【００３３】
出場改札情報の送信を受けたＩＣカード４０は、記憶部４２の第３の記憶領域に出場改札情報を記憶し（ＳＴ２０７）、改札処理端末２０を介してサーバー１０に対して、改札判定処理が終了したことを示す改札判定処理終了情報を返信する（ＳＴ２０８）。
【００３４】
改札判定処理終了情報を受けたサーバー１０（演算部１１）は、入場改札時刻と出場改札時刻が、予め決められた特定割引時間帯に含まれるか判定する（ＳＴ２０９）。つまり、割引適用の必要性を判定する。入場改札時刻と出場改札時刻が、予め決められた特定割引時間帯に含まれる場合は、定期区間内での乗車分に対して割引が適用され、改札処理端末２０を介してサーバー１０からＩＣカード４０に対して割引額情報が送信される（ＳＴ２１０）。このとき、改札処理端末２０のディスプレイには割引適用が表示される。
【００３５】
また、有効乗車区間情報が示す定期区間外での乗車区間が含まれる場合には、この定期区間外の乗車区間分の乗車運賃が計算され、区間外利用額として改札処理端末２０を介してサーバー１０からＩＣカード４０に対して送信される（ＳＴ２１０）。なお、ここでは、サーバー１０により割引適用の必要性判定及び区間外乗車判定を行なうケースについて説明したが、これら判定を改札処理端末３０で行なうようにしてもよい。
【００３６】
ＩＣカード４０は、記憶部４２の第４の記憶領域に割引額情報を記憶する（ＳＴ２１１）。なお、ＩＣカード４０の記憶部４２の第４の記憶領域に運賃として利用可能な金額情報を記憶できるようにし、割引額情報をこの金額情報に加算するようにしてもよい。これに伴い、区間外利用額をこの第４の記憶領域に記憶されている金額情報で精算するようにしてもよい。その後、ＩＣカード４０は、改札処理端末２０を介してサーバー１０に対して、処理が全て終了したことを示す全処理終了情報を返信する（ＳＴ２１２）。
【００３７】
なお、上記説明では、入場改札時刻と出場改札時刻の両方が、特定割引時間帯に含まれる場合に割引を適用するケースについて説明したが、この発明はこれに限定されるものではなく、例えば、入場改札時刻と出場改札時刻のどちらか一方が、特定割引時間帯に含まれる場合に割引を適用するようにしてもよい。また、特定割引日（土曜、日曜、祝祭日等）を定めて、入出場改札日がこの特定割引日に該当する場合に割引を適用するようにしてもよい。
【００３８】
入場改札時刻と出場改札時刻の両方が特定割引時間帯に含まれる場合に割引を適用したり、入場改札時刻と出場改札時刻のどちらか一方が特定割引時間帯に含まれる場合に割引を適用したりすることにより、例えば朝夕のラッシュ時間帯を特定割引時間帯から外すことにより、朝夕のラッシュの緩和を促進する効果が得られる。
【００３９】
また、入場改札時刻と出場改札時刻の両方が特定割引時間帯に含まれる場合に限り割引を適用することにより、最短ルート以外の乗車を防止する効果が得られる。これは、複数ルートが存在する場合、通常、鉄道会社は最短ルートでの運賃を徴収しているが、最短ルート（最短時間）での乗車により割引が適用されるのであれば最短ルートの利用可能性が高くなるためである。
【００４０】
次に、ＩＣカード４０の憶部４２の第４の記憶領域に記憶された割引額情報の精算処理について説明する。
【００４１】
例えば、ＩＣカード４０の有効期限（定期乗車券情報に含まれる有効乗車期限情報）の満了に伴い、ＩＣカード４０に記憶された割引額情報に対応する金額の払い戻しを受けることができる。払い戻しは、精算処理端末３０により受けることができる。精算処理端末３０の無線通信制御部３３はＩＣカード４０に記憶された割引額情報を読み取り、精算処理端末３０の精算処理部３４はこの割引額情報に対応する金額を払い戻す。なお、ＩＣカード４０の有効期限（定期乗車券情報に含まれる有効乗車期限情報）の満了前であっても、同様に、精算処理端末３０により、ＩＣカード４０に記憶された割引額情報に対応する金額の払い戻しを受けることができる。
【００４２】
また、ＩＣカード４０の有効期限（定期乗車券情報に含まれる有効乗車期限情報）の更新に伴い必要な更新費用の少なくとも一部を、ＩＣカード４０に記憶された割引額情報に対応する金額で精算することもできる。更新費用の精算は、精算処理端末３０により受けることができる。精算処理端末３０の無線通信制御部３３はＩＣカード４０に記憶された定期乗車券情報を読み取り、更新条件（有効期限の設定条件等）に応じて更新に必要な更新費用を算出し、更新費用の少なくとも一部をＩＣカード４０に記憶された割引額情報に対応する金額で精算し、不足分だけ現金或いはクレジットカード等による精算を要求する。
【００４３】
なお、上記説明では、割引適用時にＩＣカード４０に対して割引額情報が記録されるケース（キャッシュバック）について説明したが、この発明はこれだけに限定されるものではなく、例えば割引適用時にＩＣカード４０に対してポイントが記録されるようにして、ポイント数に応じた特典を受けられるようにしてもよい。
【００４４】
上記説明したように、本発明は、ＩＣカードとサーバー（改札処理端末）とが送受信するデータ量を増やすだけで、新たなサービスを生み出すことができる。また、非接触の無線ＩＣカードでは処理時間の短さも重要であるが、送受信回数を増やす必要はなく（変更しない為）、負担にならないレベルの処理時間延長で対応できる。
【００４５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４６】
【図１】この発明の一例に係る改札処理システム（入出場管理システム）の概略構成を示す図である。
【図２】この発明の一例に係る改札処理システムに適用されるサーバーの概略構成を示す図である。
【図３】この発明の一例に係る改札処理システムに適用される改札処理端末の概略構成を示す図である。
【図４】この発明の一例に係る改札処理システムに適用される精算処理端末の概略構成を示す図である。
【図５】この発明の一例に係る改札処理システムに適用されるＩＣカードの概略構成を示す図である。
【図６】入場改札処理の流れを説明するための図である。
【図７】出場改札処理の流れを説明するための図である。
【符号の説明】
【００４７】
１０…サーバー、１１…演算部、１２…時計、１３…データベース、１４…記憶部、１５…通信制御部、２０…改札処理端末、２１…演算部、２２…通信制御部、２３…無線通信制御部、２４…時計、３０…精算処理端末、３１…演算部、３２…通信制御部、３３…無線通信制御部、３４…精算処理部、４０…ＩＣカード、４１…演算部、４２…記憶部、４３…通信制御部
【図１】
2005228071.tif 000003
【図２】
2005228071.tif 000004
【図３】
2005228071.tif 000005
【図４】
2005228071.tif 000006
【図５】
2005228071.tif 000007
【図６】
2005228071.tif 000008
【図７】
2005228071.tif 000009